(57)【要約】【課題】患者に対し歯列矯正治療を行う際に有用な方法を提供する。【解決手段】歯列矯正治療を支援するために、正中線と大臼歯との関係データを正中線チャートに入力し、第１、第２、第３、第４、第５および第６叢生／間隔（Ｃ／Ｓ）データを、第１および第２テーブルを有する不調和チャートに入力し、第１および第２テーブルからのデータを予測治療チャートに入力する。第１テーブルは、患者の顎の犬歯から正中線領域のみに関連するデータを含み、第２テーブルは、患者の顎の第２大臼歯から正中線領域に関連し患者の顎の犬歯から正中線領域を含む。第１Ｃ／Ｓデータは犬歯から正中線領域に関連し、第２Ｃ／Ｓデータは双頭歯領域に関連し、第３Ｃ／Ｓデータは大臼歯領域に関連し、第４Ｃ／Ｓデータはスピーの彎曲に関連し、第５Ｃ／Ｓデータは正中線位置に関連し、第６Ｃ／Ｓデータは切歯位置に関連する。【選択図】図１４
2010012306.tif 000002
【特許請求の範囲】
【請求項１】
歯列矯正治療を展開する方法であって、
第１叢生／間隔データを第１および第２テーブルに記入するステップであって、該第１テーブルが患者の顎の犬歯から正中線領域に関連し、該第２テーブルが該患者の顎の第２大臼歯から正中線領域に関連し、該第１叢生／間隔データが該患者の顎の右および左犬歯から正中線領域に関連するものであるステップと、
該第１テーブルではなく該第２テーブルに第２叢生／間隔データを記入するステップであって、該第２叢生／間隔データが該患者の顎の双頭歯領域に関連するものであるステップと、
該第１テーブルではなく該第２テーブルに第３叢生／間隔データを記入するステップであって、該第３叢生／間隔データが該患者の顎の大臼歯領域に関連するものであるステップと、
該第１および第２テーブルにスピーの彎曲間隔データを記入するステップであって、該スピーの彎曲間隔データが、該患者の顎のスピーの彎曲を矯正するために必要な空間に関連するものであるステップと、
該第１および第２テーブルに正中線間隔データを記入するステップであって、該正中線間隔データが、該患者の顎における歯の正中線を移動させるために生成されかつ必要な空間に関連するものであるステップと、
該第１および第２テーブルに切歯位置データを記入するステップであって、該切歯位置データが、該患者の顎における切歯の位置を矯正するために必要な空間に関連するものであるステップと、
該第２テーブルではなく該第１テーブルに対し、該第１叢生／間隔データと、該スピーの彎曲間隔データと、該正中線間隔データと、該切歯位置データと、を合計することにより第１総計をもたらすステップと、
該第１テーブルではなく該第２テーブルに対し、該第１叢生／間隔データと、該第２叢生／間隔データと、該第３叢生／間隔データと、該スピーの彎曲間隔データと、該正中線間隔データと、該切歯位置データと、を合計することにより第２総計をもたらすステップと、
を含む方法。
【請求項２】
前記第１および第２総計のうちの少なくとも一方に対し他の生成された空間を追加するステップをさらに含む、請求項１に記載の方法。
【請求項３】
前記他の生成された空間が、抜歯によって生成された空間を含む、請求項２に記載の方法。
【請求項４】
前記他の生成された空間が、ストリッピングによって生成された空間を含む、請求項２に記載の方法。
【請求項５】
前記他の生成された空間が、拡大によって生成された空間を含む、請求項４に記載の方法。
【請求項６】
前記他の生成された空間が、遠心移動によって生成された空間を含む、請求項５に記載の方法。
【請求項７】
前記他の生成された空間が、拡大によって生成された空間を含む、請求項２に記載の方法。
【請求項８】
前記他の生成された空間が、遠心移動によって生成された空間を含む、請求項７に記載の方法。
【請求項９】
前記他の生成された空間が、遠心移動によって生成された空間を含む、請求項２に記載の方法。
【請求項１０】
前記他の生成された空間が、ストリッピングによって生成された空間を含む、請求項９に記載の方法。
【請求項１１】
正中線と大臼歯との関係を正中線チャートに記入するステップをさらに含む、請求項１に記載の方法。
【請求項１２】
前記第１および第２テーブルからのデータを予測治療チャートに記入するステップをさらに含む、請求項１に記載の方法。
【請求項１３】
正中線と大臼歯との関係を正中線チャートに記入するステップをさらに含む、請求項１２に記載の方法。
【請求項１４】
歯列矯正に関連する方法であって、
第１叢生／間隔データを第１および第２テーブルに記入するステップであって、該第１テーブルが患者の顎の犬歯から正中線領域にのみ関連するデータを含み、該第２テーブルが該患者の顎の第２大臼歯から正中線領域に関連し該患者の顎の該犬歯から正中線領域に関連するデータを含み、該第１叢生／間隔データが該患者の顎の犬歯から正中線領域に関連するものであるステップと、
該第２テーブルに第２叢生／間隔データを記入するステップであって、該第２叢生／間隔データが該患者の顎の双頭歯領域に関連するものであるステップと、
該第２テーブルに第３叢生／間隔データを記入するステップであって、該第３叢生／間隔データが該患者の顎の大臼歯領域に関連するものであるステップと、
該第１および第２テーブルにスピーの彎曲間隔データを記入するステップであって、該スピーの彎曲間隔データが、該患者の顎のスピーの彎曲を矯正するために必要な空間に関連するものであるステップと、
該第１および第２テーブルに正中線間隔データを記入するステップであって、該正中線間隔データが、該患者の顎における歯の正中線を移動させるために生成されかつ必要な空間に関連するものであるステップと、
該第１および第２テーブルに切歯位置データを記入するステップであって、該切歯位置データが、該患者の顎における切歯の位置を矯正するために必要な空間に関連するものであるステップと、
該第１叢生／間隔データと、該スピーの彎曲間隔データと、該正中線間隔データと、該切歯位置データと、を合計することにより第１総計をもたらし、該第１総計を第１初期不調和として該第１テーブルに記入するステップと、
該第１叢生／間隔データと、該第２叢生／間隔データと、該第３叢生／間隔データと、該スピーの彎曲間隔データと、該正中線間隔データと、該切歯位置データと、を合計することにより第２総計をもたらし、該第２総計を第２初期不調和として該第２テーブルに記入するステップと、
他の生成された空間を該第１および第２テーブルに記入するステップと、
該第１総計と該他の生成された空間とを合計することにより第３総計をもたらし、該第３総計を第１残存不調和として該第１テーブルに記入するステップと、
該第２総計と該他の生成された空間とを合計することにより第４総計をもたらし、該第４総計を第２残存不調和として該第２テーブルに記入するステップと、
を含む方法。
【請求項１５】
前記他の生成された空間が、ストリッピングによって生成された空間を含む、請求項１４に記載の方法。
【請求項１６】
前記他の生成された空間が、拡大によって生成された空間を含む、請求項１４に記載の方法。
【請求項１７】
前記他の生成された空間が、遠心移動によって生成された空間を含む、請求項１４に記載の方法。
【請求項１８】
前記他の生成された空間が、抜歯によって生成された空間を含む、請求項１４に記載の方法。
【請求項１９】
正中線と大臼歯との関係を正中線チャートに追加するステップをさらに含む、請求項１４に記載の方法。
【請求項２０】
前記第１および第２テーブルからのデータを予測治療チャートに追加するステップをさらに含む、請求項１４に記載の方法。
【請求項２１】
正中線と大臼歯との関係を正中線チャートに追加するステップをさらに含む、請求項２０に記載の方法。
【請求項２２】
歯列矯正に関連する方法であって、
正中線と大臼歯との関係を正中線チャートに記入するステップと、
第１および第２テーブルを有する不調和チャートに、第１、第２、第３、第４、第５および第６叢生／間隔データを記入するステップであって、該第１テーブルが患者の顎の犬歯から正中線領域のみに関連するデータを含み、該第２テーブルが、該患者の顎の第２大臼歯から正中線領域に関連し該患者の顎の該犬歯から正中線領域を含み、該第１叢生／間隔データが、該患者の顎の犬歯から正中線領域に関連し、該第２叢生／間隔データが、該患者の顎の双頭歯領域に関連し、該第３叢生／間隔データが、該患者の顎の大臼歯領域に関連し、該第４叢生／間隔データが、スピーの彎曲に関連し、該第５叢生／間隔データが、正中線位置に関連し、該第６叢生／間隔データが、切歯位置に関連するものであるステップと、
該第１および第２テーブルからのデータを予測治療チャートに記入するステップと、
を含む方法。
【請求項２３】
前記第１および第２テーブルのデータを合計することにより夫々第１および第２総計をもたらし、該第１総計を第１不調和として該第１テーブルに記入し、該第２総計を第２不調和として該第１テーブルに記入するステップをさらに含む、請求項２２に記載の方法。
【請求項２４】
前記第１および第２不調和が、夫々第１および第２初期不調和を含み、
他の生成された空間に関連するデータを前記第１および第２テーブルに記入するステップと、
該第１初期不調和を該他の生成された空間と合計することにより第１残存不調和をもたらし、該第１残存不調和を該第１テーブルに記入するステップと、
該第２初期不調和を該他の生成された空間と合計することにより第２残存不調和をもたらし、該第２残存不調和を該第２テーブルに記入するステップと、
をさらに含む、請求項２３に記載の方法。
【請求項２５】
前記他の生成された空間が、抜歯によって生成された空間を含む、請求項２４に記載の方法。
【請求項２６】
前記他の生成された空間が、ストリッピングによって生成された空間を含む、請求項２４に記載の方法。
【請求項２７】
前記他の生成された空間が、拡大によって生成された空間を含む、請求項２４に記載の方法。
【請求項２８】
前記他の生成された空間が、遠心移動によって生成された空間を含む、請求項２４に記載の方法。
【請求項２９】
大臼歯の抜歯によって生成された空間に関するデータを前記第１および第２テーブルの少なくとも一方に記入するステップをさらに含む、請求項２２に記載の方法。
【請求項３０】
歯列矯正に関連する方法であって、
叢生／間隔データを第１テーブルに記入するステップであって、該第１テーブルに記入される該叢生／間隔データが、患者の顎の犬歯から正中線領域に関連するものであるステップと、
叢生／間隔データを第２テーブルに記入するステップであって、該第２テーブルに記入される該叢生／間隔データが、該患者の顎の第２大臼歯から正中線領域に関連し、該患者の顎の該犬歯から正中線領域に関連する該叢生／間隔データを含むものであるステップと、
該第１および第２テーブルに記入された該叢生／間隔データに基づいて歯列矯正治療を計画するステップと、
を含む方法。
【請求項３１】
正中線と大臼歯との関係を正中線チャートに追加するステップをさらに含む、請求項３０に記載の方法。
【請求項３２】
前記計画された歯列矯正治療に関連するデータを予測治療チャートに追加するステップをさらに含む、請求項３０に記載の方法。
【請求項３３】
正中線と大臼歯との関係を正中線チャートに追加するステップをさらに含む、請求項３２に記載の方法。
【請求項３４】
前記第１テーブルの前記叢生／間隔データを合計することにより第１総計をもたらし、該第１総計を第１不調和として該第１テーブルに記入するステップと、
前記第２テーブルの前記叢生／間隔データを合計することにより第２総計をもたらし、該第２総計を第２不調和として該第２テーブルに記入するステップと、
をさらに含む、請求項３０に記載の方法。
【請求項３５】
前記第２テーブルの前記叢生／間隔データが、前記患者の顎の双頭歯領域に関連する叢生／間隔データを含む、請求項３０に記載の方法。
【請求項３６】
前記第２テーブルの前記叢生／間隔データが、前記患者の顎の大臼歯領域に関連する叢生／間隔データを含む、請求項３０に記載の方法。
【請求項３７】
前記第１および第２テーブルの前記叢生／間隔データが、前記患者の顎のスピーの彎曲を矯正するために必要な空間を含む、請求項３０に記載の方法。
【請求項３８】
前記第１および第２テーブルの前記叢生／間隔データが、前記患者の顎の歯の正中線を移動させるために生成されかつ必要な空間を含む、請求項３０に記載の方法。
【請求項３９】
前記第１および第２テーブルの前記叢生／間隔データが、前記患者の顎の切歯の位置を矯正するために必要な空間を含む、請求項３０に記載の方法。
【請求項４０】
前記第１テーブルの前記叢生／間隔データを合計することにより第１総計をもたらし、該第１総計を第１初期不調和として該第１テーブルに記入するステップと、
前記第２テーブルの前記叢生／間隔データを合計することにより第２総計をもたらし、該第２総計を第２初期不調和として該第２テーブルに記入するステップと、
該第１および第２テーブルに他の生成された空間を記入するステップと、
該第１合計と該他の生成された空間とを合計することにより第３総計をもたらし、該第３総計を第１残存不調和として該第１テーブルに記入するステップと、
該第２合計と該他の生成された空間とを合計することにより第４総計をもたらし、該第４総計を第２残存不調和として該第２テーブルに記入するステップと、
をさらに含む、請求項３０に記載の方法。
【請求項４１】
前記他の生成された空間が、抜歯によって生成された空間を含む、請求項４０に記載の方法。
【請求項４２】
前記他の生成された空間が、ストリッピングによって生成された空間を含む、請求項４０に記載の方法。
【請求項４３】
前記他の生成された空間が、拡大によって生成された空間を含む、請求項４０に記載の方法。
【請求項４４】
前記他の生成された空間が、遠心移動によって生成された空間を含む、請求項４０に記載の方法。
【発明の詳細な説明】
【技術分野】
【０００１】
本発明は、患者に対し歯列矯正治療を行う際に有用な方法に関する。
【背景技術】
【０００２】
歯列矯正治療は、変位した歯を歯列矯正により正しい位置に移動させることを含む、歯科医術の一分野である。通常、歯列矯正治療を処方する前に、患者の歯および顎構造のＸ線および写真を撮影する。また、典型的には、患者の歯のモールドを作成する。このモールドとＸ線および写真とにより、治療前に患者の歯および歯列弓の配置のモデルが提供される。
【０００３】
歯科矯正医はまた、しばしば、患者の歯および歯列弓の所望の位置の治療後モデルに頼る。この治療後モデルは、典型的には、歯科矯正医の経験および技能に基づいて歯科矯正医の頭の中で組み立てられるメンタルモデルであった。しかしながら、コンピュータによる治療後モデルの開発によりコンピュータプログラムが歯科矯正医を支援することも知られている。そして、歯科矯正医は、患者の歯および／または歯列弓を治療前モデルによって表されるようなそれらの位置から治療後モデルによって表されるような所望の位置まで移動させる治療戦略を考案する。
【０００４】
頭部測定分析もまた、歯列矯正診断および治療計画の重要な部分である。これらの頭部測定分析の大部分が、垂直面および水平面における上顎および下顎の骨格の関係とともに、切歯の位置および角化を測定する。上顎および下顎弓に必要な歯の移動の方向および量に関する情報を提供する頭部測定分析はほとんどない。
【０００５】
診断および治療計画プロセスを支援するために追加の歯科情報があることが有用である。この情報には、第１大臼歯、犬歯および正中線の初期位置と所望の移動が含まれなければならない。図１、図２および図３に示すチャートは、従来、この追加の情報のいくつかを提供するために使用されてきた。図４、図５および図６は、これらのチャートに例示的な患者データのセットを含むものを示す。
【０００６】
図１のチャートを使用して、右側および左側における患者の初期正中線と第１大臼歯との関係を記録する。図４における例示的なデータは、患者の上正中線が左右対称であることと、下正中線が上正中線から右に１ｍｍずれていることと、を示す。図４の大臼歯関係データは、右側における患者の上第１大臼歯と下第１大臼歯との間の４ｍｍのＩＩ級偏位と、左側における患者の上第１大臼歯と下第１大臼歯との間の３．５ｍｍのＩＩ級偏位と、を示す。
【０００７】
図２のチャートを使用して、下顎歯列弓の不調和（ｄｉｓｃｒｅｐａｎｃｙ）を記録する。４つの主な歯列弓要素を使用する。犬歯と正中線との間の叢生の緩和に必要な空間（３×３）と、第１大臼歯と正中線との間の叢生の緩和に必要な空間（６×６）と、を各側、すなわち右と左とに対して記録する。また、下切歯の突出または貫入を矯正するために必要な空間を、スピー（Ｓｐｅｅ）の彎曲を平らにするために必要な空間と同様に記録する。さらに、正中線の矯正に必要な空間も記録する。最後に、これらの空間要件を総計する。
【０００８】
図２のチャートの下方に４つの二次的要素もまた列挙することができる、ということが示唆されている。これらの４つの二次的要素には、隣接面エナメル削除による追加の空間と、下顎歯列弓第１大臼歯の整直または遠心移動による追加の空間と、下犬歯および下後方の歯の頬面整直による追加の空間と、リーウェイスペースまたは「Ｅ」スペースによる追加の空間と、がある。頬面整直は、下顎歯列弓（骨でなく歯）を広げることである。リーウェイスペースは、乳犬歯、第１大臼歯および第２大臼歯と対応する永久犬歯、第１小臼歯および第２小臼歯との寸法差である。
【０００９】
図５の例示的なデータは、下顎歯列弓が右側に３ｍｍの叢生を有し、それがすべて右下犬歯に対して近心であることを示す。言い換えれば、右下犬歯と正中線との間に３ｍｍの叢生がある。図５のチャートは、右下側において、第１大臼歯と正中線との間の叢生もまた３ｍｍであることを示し、それは、右下側の叢生がすべて犬歯と正中線との間にあることを意味する。
【００１０】
同様に、下顎歯列弓は左側に１ｍｍだけ叢生を有し、それはすべて左下犬歯に対して近心である。図５のチャートは、左下側において、第１大臼歯と正中線との間の叢生が同様に１ｍｍであることを示し、それは、左下側の叢生がすべて犬歯と正中線との間にあることを意味する。
【００１１】
図５のチャートによって示すように、下切歯の突出（または貫入）を矯正するために、右下側および左下側に２ｍｍの空間が必要である。また、スピーの彎曲を矯正するために右下側および左下側において１ｍｍの空間が必要である。図７に、スピーの彎曲を示す。スピーの彎曲の深さを、その最深点で測定する。理想的には、スピーの彎曲を、平らにする、すなわちゼロ深さを有するようにするべきである。しかしながら、図５および図７の例では、スピーの彎曲が両側において２ｍｍ深さである、と想定する。スピーの彎曲の深さを、第２大臼歯の遠心咬頭から中心切歯の切縁まで延在する線から測定する。概して、２ｍｍ深さのスピーの彎曲を平らにするためには１ｍｍの空間が必要であると考えられる。このため、図５の例示的なデータは、スピーの彎曲を平らにするために１ｍｍの空間が必要であることを示す。
【００１２】
さらに、図４に関して上述したように、下正中線は、右に１ｍｍずれている。下正中線が右に１ｍｍずれているため、下正中線の矯正には、正中線を左に１ｍｍ移動させることができるように、左側に１ｍｍの空間が必要である。言い換えれば、正中線を左へ１ｍｍ移動させることにより、右側に１ｍｍの空間が生成される。したがって、右側における生成された１ｍｍの空間を、図５のチャートにおいて＋１として示し、左側における１ｍｍの必要な空間を、図５のチャートにおいて−１として示す。
【００１３】
最後に、各領域（３×３および６×６）において空間要件を総計する。したがって、右下側において、叢生を緩和し、下切歯突出を後退させ、スピーの彎曲を平らにするために、犬歯と正中線との間に５ｍｍの空間が必要である。図５のチャートのデータに基づき、この空間要件は６ｍｍ（３＋２＋１）である。しかしながら、正中線を左に１ｍｍ移動させることにより右側に１ｍｍの空間が生成されるため、図５のチャートにおいて合計空間要件を−５として記録する。ここで、マイナス記号は、生成された空間ではなく必要な空間を示す。また、必要な空間がすべて３×３領域にあるため、同じ総空間要件を６×６領域に適用する。
【００１４】
同様に、左下側において、叢生を緩和し、下切歯突出を後退させ、スピーの彎曲を平らにし、正中線を矯正するために、犬歯と正中線との間に５ｍｍの空間が必要である。図５のチャートのデータに基づき、この空間要件は５ｍｍ（１＋２＋１＋１）である。ここでまた、図５のチャートにおけるマイナス記号は、生成された空間ではなく必要な空間を示す。また、必要な空間のすべてが３×３領域内にあるため、６×６領域に対して同様の要件を適用する。
【００１５】
概して、下歯の正しい位置決めにより下歯が上歯と整列すると想定されるため、通常、患者に対して上顎歯列弓不調和チャートを行わない。しかしながら、上顎歯列弓不調和チャートは、外科手術の場合等、歯科矯正医に有用な場合がある。
【００１６】
図４および図５のチャートに示すように、患者データを図１および図２のチャートに挿入すると、予測治療変化を図３のチャートに記録することができる。図４および図５に示す例示的なデータに基づく予測治療を、図６のチャートに示す。予測治療では、抜歯を行わない場合、変位した下切歯を正しい位置に置くことができず、実際には、切歯の位置がより悪くなる可能性がもっとも高い、ということを認められる。下切歯のこれらの位置は許容不可能であると考えられるため、予測治療に上下左右の第１小臼歯の抜歯が含まれる。さらに、これらの抜歯のために、隣接面削除、下顎歯列弓第１大臼歯の整直および／または下犬歯および下部後方の歯の頬面整直を考慮することが不要になる。
【００１７】
４本の第１小臼歯の抜歯により、通常、各象限（右上、左上、右下および左下）において７ｍｍの空間が生成される。これらの空間を、図６のチャートにおいて各象限の（７）として記録する。図５のチャートによって示すように、両側において正中線から犬歯までの総下顎歯列弓不調和が５ｍｍであるため、左下および右下の犬歯を抜歯位置まで後退させることによりこの不調和を矯正することができる。これらの５ｍｍの移動を、図６のチャートにおいて右下および左下象限において遠心を指す矢印とともに５として記録する。
【００１８】
犬歯を遠心に５ｍｍ移動した後、抜歯による２ｍｍの余分の空間があるため、下抜歯位置の各々においてその余分の２ｍｍの空間を閉鎖するために、下大臼歯を右下側および左下側において２ｍｍ近心に移動させる。これらの２ｍｍの移動を、図６のチャートにおいて右下および左下象限において近心を指す矢印とともに２として記録する。
【００１９】
図４および図５のチャートに示すように、下正中線が右に１ｍｍずれており、したがって下正中線を左に１ｍｍ移動させる。この１ｍｍの移動を、図６のチャートにおいて下顎において左を指している矢印とともに１として記録する。
【００２０】
図６のチャートによって示すように、右側における正中線から犬歯までの総上顎歯列弓不調和は９ｍｍであり、左側における正中線から犬歯までの総上顎歯列弓不調和は８．５ｍｍである。これらの不調和の矯正には、右上犬歯を右上抜歯位置に９ｍｍ後退させることと、左上犬歯を左上抜歯位置に８．５ｍｍ後退させることと、が必要である。これらの９ｍｍおよび８．５ｍｍの移動を、図６のチャートにおいて、右上および左上象限において遠心を指す対応する矢印とともに夫々９および８．５として記録する。
【００２１】
右上象限においてまださらなる２ｍｍの空間が必要であるため、その追加の２ｍｍの空間を生成するために右上大臼歯を２ｍｍ遠心に移動させる。同様に、左上象限においてまださらなる１．５ｍｍの空間が必要であるため、その追加の１．５ｍｍの空間を生成するために左上大臼歯を１．５ｍｍ遠心に移動させる。これらの２ｍｍおよび１．５ｍｍの移動を、図６のチャートにおいて、右上および左上象限において遠心を指す対応する矢印とともに２として記録する。
【００２２】
図４および図５のチャートに示すように、上正中線の移動は不要である。
【発明の概要】
【発明が解決しようとする課題】
【００２３】
これらのチャートは、治療する歯科矯正医には有用な分析ツールを提供する。しかしながら、治療する歯科矯正医に対し、より優れた治療戦略を展開する助けとなる形式で提供することのできるさらなる情報がある。本発明は、このさらなる情報を含む構成に関する。
【課題を解決するための手段】
【００２４】
本発明の一態様によれば、歯列矯正治療を展開する方法は、以下を含む。すなわち、第１叢生／間隔データを第１および第２テーブルに記入するステップであって、第１テーブルが患者の顎の犬歯から正中線領域に関連し、第２テーブルが患者の顎の第２大臼歯から正中線領域に関連し、第１叢生／間隔データが患者の顎の右および左犬歯から正中線領域に関連するものであるステップと、第１テーブルではなく第２テーブルに第２叢生／間隔データを記入するステップであって、第２叢生／間隔データが患者の顎の双頭歯領域に関連するものであるステップと、第１テーブルではなく第２テーブルに第３叢生／間隔データを記入するステップであって、第３叢生／間隔データが患者の顎の大臼歯領域に関連するものであるステップと、第１および第２テーブルにスピーの彎曲間隔データを記入するステップであって、スピーの彎曲間隔データが、患者の顎のスピーの彎曲を矯正するために必要な空間に関連するものであるステップと、第１および第２テーブルに正中線間隔データを記入するステップであって、正中線間隔データが、患者の顎における歯の正中線を移動させるために生成されかつ必要な空間に関連するものであるステップと、第１および第２テーブルに切歯位置データを記入するステップであって、切歯位置データが、患者の顎における切歯の位置を矯正するために必要な空間に関連するものであるステップと、第２テーブルではなく第１テーブルに対し、第１叢生／間隔データと、スピーの彎曲間隔データと、正中線間隔データと、切歯位置データと、を合計することにより第１総計をもたらすステップと、第１テーブルではなく第２テーブルに対し、第１叢生／間隔データと、第２叢生／間隔データと、第３叢生／間隔データと、スピーの彎曲間隔データと、正中線間隔データと、切歯位置データと、を合計することにより第２総計をもたらすステップと、である。
【００２５】
本発明の別の態様によれば、歯列矯正に関連する方法は、以下を含む。すなわち、第１叢生／間隔データを第１および第２テーブルに記入するステップであって、第１テーブルが患者の顎の犬歯から正中線領域にのみ関連するデータを含み、第２テーブルが患者の顎の第２大臼歯から正中線領域に関連し患者の顎の犬歯から正中線領域に関連するデータを含み、第１叢生／間隔データが患者の顎の犬歯から正中線領域に関連するものであるステップと、第２テーブルに第２叢生／間隔データを記入するステップであって、第２叢生／間隔データが患者の顎の双頭歯領域に関連するものであるステップと、第２テーブルに第３叢生／間隔データを記入するステップであって、第３叢生／間隔データが患者の顎の大臼歯領域に関連するものであるステップと、第１および第２テーブルにスピーの彎曲間隔データを記入するステップであって、スピーの彎曲間隔データが、患者の顎のスピーの彎曲を矯正するために必要な空間に関連するものであるステップと、第１および第２テーブルに正中線間隔データを記入するステップであって、正中線間隔データが、患者の顎における歯の正中線を移動させるために生成されかつ必要な空間に関連するものであるステップと、第１および第２テーブルに切歯位置データを記入するステップであって、切歯位置データが、患者の顎における切歯の位置を矯正するために必要な空間に関連するものであるステップと、第１叢生／間隔データと、スピーの彎曲間隔データと、正中線間隔データと、切歯位置データと、を合計することにより第１総計をもたらし、第１総計を第１初期不調和として第１テーブルに記入するステップと、第１叢生／間隔データと、第２叢生／間隔データと、第３叢生／間隔データと、スピーの彎曲間隔データと、正中線間隔データと、切歯位置データと、を合計することにより第２総計をもたらし、第２総計を第２初期不調和として第２テーブルに記入するステップと、他の生成された空間を第１および第２テーブルに記入するステップと、第１総計と他の生成された空間とを合計することにより第３総計をもたらし、第３総計を第１残存不調和として第１テーブルに記入するステップと、第２総計と他の生成された空間とを合計することにより第４総計をもたらし、第４総計を第２残存不調和として第２テーブルに記入するステップと、である。
【００２６】
本発明のさらに別の態様では、歯列矯正に関連する方法は、以下を含む。すなわち、正中線と大臼歯との関係を正中線チャートに記入するステップと、第１および第２テーブルを有する不調和チャートに、第１、第２、第３、第４、第５および第６叢生／間隔データを記入するステップであって、第１テーブルが患者の顎の犬歯から正中線領域のみに関連するデータを含み、第２テーブルが、患者の顎の第２大臼歯から正中線領域に関連し患者の顎の犬歯から正中線領域を含み、第１叢生／間隔データが、患者の顎の犬歯から正中線領域に関連し、第２叢生／間隔データが、患者の顎の双頭歯領域に関連し、第３叢生／間隔データが、患者の顎の大臼歯領域に関連し、第４叢生／間隔データが、スピーの彎曲に関連し、第５叢生／間隔データが、正中線位置に関連し、第６叢生／間隔データが、切歯位置に関連するものであるステップと、第１および第２テーブルからのデータを予測治療チャートに記入するステップと、である。
【００２７】
本発明のさらに別の態様では、歯列矯正に関連する方法は、以下を含む。すなわち、叢生／間隔データを第１テーブルに記入するステップであって、第１テーブルに記入される叢生／間隔データが、患者の顎の犬歯から正中線領域に関連するものであるステップと、叢生／間隔データを第２テーブルに記入するステップであって、第２テーブルに記入される叢生／間隔データが、患者の顎の第２大臼歯から正中線領域に関連し、患者の顎の犬歯から正中線領域に関連する叢生／間隔データを含むものであるステップと、第１および第２テーブルに記入された叢生／間隔データに基づいて歯列矯正治療を計画するステップと、である。
【００２８】
本発明のさらなる態様を、特許請求の範囲の特徴によって定義する。
これらおよび他の特徴および利点は、図面を考慮して本発明の詳細な考察からより明らかとなろう。
【図面の簡単な説明】
【００２９】
【図１】患者の初期正中線と第１大臼歯との関係を記録するために使用してもよい既知のブランクチャートを示す。
【図２】下顎歯列弓不調和を記録するために使用することができる既知のブランクチャートを示す。
【図３】患者に対して予測治療変化を記録するために使用することができる既知のブランクチャートを示す。
【図４】図１のチャートに記録された患者に対する例示的なデータを示す。
【図５】図２のチャートに記録された患者に対する例示的なデータを示す。
【図６】図３のチャートに記録され図４および図５に示す例示的なデータに基づく、患者に対する予測治療変化を示す。
【図７】スピーの彎曲を理解するために有用な図である。
【図８】本発明により患者の初期正中線と第１大臼歯との関係を記録するために使用してもよいブランクチャートを示す。
【図９】本発明により下顎歯列弓不調和を記録するために使用してもよいブランクチャートを示す。
【図１０】本発明により患者に対する予測治療変化を記録するために使用してもよいブランクチャートを示す。
【図１１】図８のチャートに記録された患者に対する例示的なデータを示す。
【図１２】図９のチャートに記録された患者に対する例示的なデータを示す。
【図１３】図１０のチャートに記録され図１１および図１２に示す例示的なデータに基づく、患者に対する予測治療変化を示す。
【図１４】本発明を実行するためにコンピュータが実施してもよいプログラムを表すフローチャートを示す。
【発明を実施するための形態】
【００３０】
図８のチャートを使用して、右側および左側における患者の初期正中線と第１大臼歯との関係を記録する。図１１の例示的なデータは、患者の上正中線が左右対称であることと、下正中線が上正中線から右に２ｍｍずれていることと、を示す。図１１の大臼歯関係データは、右および左側において患者の上第１大臼歯と下第１大臼歯との間の３ｍｍのＩＩ級偏位を示す。図８のチャートに基づき、患者のいかなるオーバージェット、オーバーバイトおよびクロスバイトを記録してもよい。
【００３１】
図９に、３×３および７×７のテーブルを有するチャートを示し、それを用いて下顎歯列弓不調和を記録する。３×３チャートは、右犬歯と正中線との間と左犬歯と正中線との間との領域をカバーする。７×７チャートは、右第２大臼歯と正中線との間と左第２大臼歯と正中線との間との領域をカバーする。右犬歯と正中線との間と左犬歯と正中線との間との叢生の緩和に必要な空間（３×３）を、３×３テーブルと７×７テーブルとの両方に記録する。右小臼歯（双頭歯）と左小臼歯との叢生の緩和に必要な空間は、７×７テーブルのみに記録する。右大臼歯と左大臼歯との叢生の緩和に必要な空間もまた、７×７テーブルのみに記録する。このように、小臼歯と大臼歯との叢生の緩和に必要な空間は、３×３テーブルには記録されない。これは、３×３テーブルは歯列弓のこれらの領域をカバーしないためである。スピーの彎曲を平らにするために必要な空間もまた、図９のテーブルの両方に記録する。さらに、下切歯の突出または貫入を矯正するために必要な空間を、図９のテーブルの両方に記録する。これらの不調和を総計し、その総計を初期不調和として両テーブルに記録する。
【００３２】
上述したように、図９のチャートを使用して、叢生を緩和し、スピーの彎曲の矯正を可能にし、切歯位置の矯正を可能にするための空間要件を記入する。しかしながら、顎の一方の側または両側において空間が存在する場合がありまたは空間を生成してもよい。たとえば、下正中線が移動した場合、顎の一方の側に空間が生成され、この生成された空間を図１２のデータによって示すように図９のチャートに記録する。また、叢生ではなく、歯列弓の犬歯から正中線、小臼歯および／または大臼歯領域に空間が存在する可能性もある。そうである場合、これらの既存の空間を、図９のチャートに正の数として記入する。
【００３３】
さらに、空間要件を満たすために他の空間を生成することができ、図９のチャートにより、かかる他の生成された空間の記入が可能になる。このため、図９に示すように、チャートは、隣接面削除（エナメルのストリッピング）のため、下顎歯列弓拡大（広げること）のため、下大臼歯の遠心移動（下大臼歯の顎の後方への移動）のため、および抜歯のための項目を含む。生成された総空間と総空間要件との差を、図９のチャートの両テーブルに残存不調和として記入する。
【００３４】
図１２の３×３テーブルのＣ／Ｓ３×３行の例示的なデータは、下顎歯列弓が右側に５ｍｍの叢生を有することを示す。この叢生は、右下犬歯に対して近心である。右下犬歯と正中線との間のこの５ｍｍの叢生はまた、図１２の７×７テーブルの同じ行に記入する。同様に、下顎歯列弓は、左側に１ｍｍのみの叢生を有する。この叢生は、同様に左下犬歯に対して近心である。右下犬歯と正中線との間のこの１ｍｍの叢生を、図１２の３×３および７×７テーブルのＣ／Ｓ３×３行に記入する。
【００３５】
図１２に示す７×７テーブルのＣ／Ｓ双頭歯／Ｅ行の例示的なデータは、下顎歯列弓が、右下象限の双頭歯領域の１．５ｍｍの使用可能な空間を有することを示す。この１．５ｍｍの使用可能な空間を、図１２の７×７テーブルに正の数として記入する。同様に、例示的なデータは、下顎歯列弓が、左下象限の双頭歯領域に１．５ｍｍの使用可能な空間を有することを示す。この１．５ｍｍの使用可能な空間もまた、図１２の７×７テーブルに正の数として記入する。小臼歯領域のこれらの使用可能な空間は、３×３テーブルの適用範囲外であるため、３×３テーブルには記入しない。
【００３６】
図１２の３×３テーブルのＣ／Ｓ大臼歯行の例示的なデータは、さらに、下顎歯列弓が叢生を緩和するために右下象限の大臼歯領域に１．５ｍｍの空間を必要とする、ということを示す。この１．５ｍｍの必要な空間を、図１２の７×７テーブルに負の数として記入する。同様に、例示的なデータは、下顎歯列弓が、叢生を緩和するために左下象限の大臼歯領域に１．５ｍｍの空間を必要とすることを示す。この１．５ｍｍの必要な空間もまた、図１２の７×７テーブルに負の数として記入する。大臼歯領域のこれらの必要な空間は、３×３テーブルの適用範囲外であるため３×３テーブルには記入しない。
【００３７】
図１２のチャートにおいてスピーの彎曲行によって示すように、スピーの彎曲を矯正するためには、右下側および左下側において０．５ｍｍの空間が必要である。この必要な空間を、図１２の３×３および７×７テーブルの両方に記入する。さらに、図１１に関連して上述したように、下正中線が歯科的に右へ２ｍｍずれている。下正中線が歯科的に右に２ｍｍずれているため、下正中線の矯正には、正中線を左に２ｍｍ移動させることができるように左側に２ｍｍの空間が必要である。正中線を左に２ｍｍ移動させる結果、右側に２ｍｍの空間が生成される。したがって、右側における２ｍｍの生成された空間を、図１２のチャートの正中線行において正の数として示し、左側における２ｍｍの必要な空間を、図１２のチャートの正中線行において負の数として示す。最後に、下切歯の位置を矯正するために、右下側および左下側において２ｍｍの空間が必要である。この２ｍｍの必要な空間を、図１２の３×３および７×７テーブルの切歯位置行に負の数として記入する。
【００３８】
これらの空間要件を初期不調和として各領域（３×３および７×７）において総計する。このように、図１２の３×３テーブルにおいて、叢生を緩和するため、下切歯の位置を矯正するため、およびスピーの彎曲を平らにするため、右下側における犬歯と正中線との間に７．５ｍｍの空間が必要である。しかしながら、下正中線を左に移動する場合に２ｍｍの空間が生成されるため、右側における総空間要件は５．５ｍｍであり、それを図１２の３×３テーブルのＲ列において初期不調和として記入する。同様に、左下側において、犬歯と正中線との間の叢生を緩和するため、下切歯の位置を矯正するため、スピーの彎曲を平らにするため、および正中線を矯正するため、５．５ｍｍの空間が必要である。この総空間要件を、図１２の３×３テーブルのＬ列において初期不調和として記入する。
【００３９】
図１２の７×７テーブルにおいて、叢生を緩和するため、下切歯の位置を矯正するため、およびスピーの彎曲を平らにするために、右下側に９ｍｍの空間が必要である。しかしながら、下正中線を左に移動した場合に２ｍｍの空間が生成されるため、および双頭歯領域において１．５ｍｍの空間が使用可能であるため、総空間要件は５．５ｍｍであり、それを図１２に示す７×７テーブルのＲ列において初期不調和として記入する。同様に、左下側において、叢生を緩和するため、下切歯の位置を矯正するため、スピーの彎曲を平らにするため、および正中線を矯正するために、７ｍｍの空間が必要である。しかしながら、双頭歯領域において１．５ｍｍの空間が使用可能であるため、総空間要件は５．５ｍｍであり、それを図１２に示す７×７テーブルのＬ列に初期不調和として記入する。
【００４０】
図１２の３×３および７×７テーブルにおける例示的なデータが示すように、隣接面削除、下顎歯列弓拡大および遠心移動によって生成される空間は予期していない。しかしながら、大臼歯または小臼歯領域における抜歯のために、７ｍｍの空間が生成される。したがって、右下および左下象限における３×３領域の残存不調和は初期不調和と同じであるが、右下および左下象限における７×７領域の残存不調和は１．５ｍｍ（正の数）であり、それは、抜歯によって生成される７ｍｍの空間が、５．５ｍｍの必要な空間を補うだけに留まらないことを示す。
【００４１】
図１２に示すものに類似するチャートを、外科手術の場合等、上顎歯列弓に対して完成することができる。
【００４２】
図１１および図１２のチャートによって示すように、患者データを図８および図９のチャートに挿入すると、図１０のチャートにおいて予測治療変化を記録することができる。この記録されたデータを図１３に示す。これは、図１０の複製であるが、予測治療変化に関連する患者データを含む。図１１および図１２に示す例示的なデータに基づく予測治療は、上下左右の象限における抜歯を含む。これらの抜歯により、右上および左上象限に７ｍｍの空間が生成され右下および左下象限において７ｍｍの空間が生成される。上の抜歯を、図１３のチャートにおいて右上および左上象限に（７）として記録する。下の抜歯もまた、図１３のチャートに記録する。しかしながら、下顎歯列弓はまた右下および左下双頭歯領域において１．５ｍｍのリーウェイ（Ｅ）スペースを取得するため、下の抜歯（７）によって生成される空間を、下双頭歯の領域においてリーウェイスペース（１．５）に加算し、その総計を右下および左下象限において（８．５）として記録する。
【００４３】
右下象限において生成される１０．５ｍｍの空間（すなわち、抜歯による７ｍｍ＋正中線を左に移動することによってもたらされる２ｍｍ＋双頭歯領域におけるリーウェイスペースの１．５ｍｍ）により、右下象限の歯を正しく配置することができる。右下象限におけるこの矯正では、犬歯と正中線との間の叢生を緩和するために５ｍｍの空間を使用し、スピーの彎曲を平らにするために０．５ｍｍの空間を使用し、大臼歯領域の叢生を緩和するために１．５ｍｍの空間を使用し、切歯位置矯正のために２ｍｍの空間を使用する。この矯正により、１．５ｍｍの未使用空間が残る。結果として、右下象限における後方の大臼歯を前方に（近心に）移動させることによりこの未使用空間を埋める。
【００４４】
図１３のチャートへの記入により、正中線の２ｍｍ移動と右下象限における犬歯と正中線との間の歯の正味５．５ｍｍの遠心移動とが示される。図１３のチャートはまた、右下象限における８．５ｍｍの使用可能空間も示す。遠心歯移動の正味５．５ｍｍと使用可能空間の８．５ｍｍとの差（３ｍｍ）を、図１３のチャートにおいて右下象限の大臼歯領域で近心に正味３ｍｍとして記録する。
【００４５】
左下象限において生成される１０ｍｍの空間（すなわち、抜歯による７ｍｍ＋双頭歯領域におけるリーウェイスペースの１．５ｍｍ）により、左下象限の歯を正しく配置することができる。右下象限におけるこの矯正は、犬歯と正中線との間の叢生を緩和するために１ｍｍの空間を使用し、スピーの彎曲を平らにするために０．５ｍｍの空間を使用し、大臼歯領域において叢生を緩和するために１．５ｍｍの空間を使用し、正中線矯正のために２ｍｍの空間を使用し、切歯位置矯正のために２ｍｍの空間を使用する。この矯正により、１．５ｍｍの未使用空間が残る。結果として、左下象限の後方の大臼歯を前方に移動させることにより、この未使用空間を埋める。
【００４６】
図１３のチャートに対する記入により、正中線の２ｍｍの移動と、左下象限における犬歯と正中線との間の正味５．５ｍｍの歯の移動とが示される。図１３のチャートはまた、左下象限における８．５ｍｍの使用可能空間も示す。遠心歯移動の５．５ｍｍと使用可能空間の８．５ｍｍとの間の差（３ｍｍ）を、図１３のチャートにおいて左下象限の大臼歯領域で近心に正味３ｍｍとして記録する。
【００４７】
右上象限において抜歯により生成される７ｍｍの空間により、右上象限の歯を正しく配置することができる。右上象限におけるこの矯正は、犬歯と正中線との間の叢生を緩和するために７ｍｍの空間すべてを使用する。同様に、左上象限において抜歯から生成される７ｍｍの空間により、左上象限の歯を正しく配値することができる。左上象限におけるこの矯正は、犬歯と正中線との間の叢生を緩和するために７ｍｍの空間すべてを使用する。
【００４８】
図１３のチャートに対する記入により、右上象限における犬歯と正中線との間の歯の正味７ｍｍの移動と、左上象限における犬歯と正中線との間の歯の正味７ｍｍの移動と、が示される。
【００４９】
図１４（Ａ）〜（Ｃ）においてフローチャートによって示しコンピュータが実行するコンピュータプログラム１００を使用して、本発明を実施してもよい。プログラム１００の開始時、ブロック１０２は、ユーザに対し、３×３叢生を負の数としてまたは３×３使用可能間隔を正の数として入力するように促す。このデータが入力されると、ブロック１０４は、このデータが歯列弓不調和チャート（図９）のＣ／Ｓ３×３行に挿入されるようにする。図１１〜図１３の例示的なデータを使用して、ブロック１０４は、図１２に示すように、３×３および７×７テーブルのＲ列に−５を挿入しＬ列に−１を挿入する。
【００５０】
ブロック１０６は、ユーザに対し、双頭歯領域に対し負の数として叢生を入力するか正の数として使用可能空間を入力するように促す。このデータが入力されると、ブロック１０８は、このデータが歯列弓不調和チャートのＣ／Ｓ双頭歯／Ｅ行に挿入されるようにする。図１１〜図１３の例示的なデータを使用して、ブロック１０８は、図１２に示すように７×７テーブルのＲおよびＬ列に１．５を挿入する。
【００５１】
ブロック１１０は、ユーザに対し、大臼歯領域に対して負の数として叢生を入力するか正の数として使用可能空間を入力するように促す。このデータが入力されると、ブロック１１２は、このデータが歯列弓不調和チャートのＣ／Ｓ大臼歯行に挿入されるようにする。図１１〜図１３の例示的なデータを使用して、ブロック１１２は、図１２に示すように、７×７テーブルのＲおよびＬ列に−１．５を挿入する。
【００５２】
ブロック１１４は、ユーザに対し、スピーの彎曲の任意の矯正に対して負の数として叢生を入力するように促す。このデータが入力されると、ブロック１１６は、このデータが歯列弓不調和チャートのスピーの彎曲行に挿入されるようにする。図１１〜図１３の例示的なデータを使用して、ブロック１１６は、図１２に示すように、３×３テーブルと７×７テーブルとのＲおよびＬ列に−０，５を挿入する。
【００５３】
ブロック１１８は、ユーザに対し、負の数として叢生を入力するか正の数として正中線偏位の矯正からもたらされる使用可能空間を入力するように促す。このデータが入力されると、ブロック１２０は、このデータが歯列弓不調和チャートの正中線行に挿入されるようにする。図１１〜図１３の例示的なデータを使用して、ブロック１２０は、すべて図１２に示すように、３×３テーブルと７×７テーブルとのＲ列に２を挿入し、３×３テーブルと７×７テーブルとのＬ列に−２を挿入する。ブロック１２０はまた、正中線チャート（図８）に正中線偏位を挿入する。したがって、図１１〜図１３の例示的なデータを使用して、ブロック１２０は、図１１に示すように正中線偏位に対して２を挿入する。
【００５４】
ブロック１２２は、ユーザに対し、負の数として切歯位置の矯正によってもたらされる叢生を入力するように促す。このデータが入力されると、ブロック１２４は、このデータが歯列弓不調和チャートの切歯位置に挿入されるようにする。図１１〜図１３の例示的なデータを使用して、ブロック１２４は、図１２に示すように、３×３テーブルと７×７テーブルとのＲおよびＬ列に−２を挿入する。
【００５５】
ブロック１２６は、ここまでに論考したＲおよびＬ列への入力を総計（合計）し、これらの総計を初期不調和として歯列弓不調和チャートの初期不調和行に入力する。図１１〜図１３の例示的なデータを使用して、ブロック１２６は、図１２に示すように、３×３テーブルと７×７テーブルとのＲおよびＬ列に−５．５を挿入する。
【００５６】
ブロック１２８は、ユーザに対し、ストリッピング、拡大および遠心移動が予測治療において企図されると想定して、ストリッピング、拡大および遠心移動によって生成される空間を正の数として入力するように促す。このデータが入力されると、ブロック１３０は、ストリッピングデータが歯列弓不調和チャートのストリッピング行に挿入されるようにする。図１１〜図１３の例示的なデータを使用して、ブロック１３０は、図１２に示すように、３×３テーブルと７×７テーブルとのＲおよびＬ列に０を挿入する。ブロック１３０はまた、拡大データが歯列弓不調和チャートの拡大行に挿入されるようにする。図１１〜図１３の例示的なデータを使用して、ブロック１３０は、図１２に示すように、３×３テーブルと７×７テーブルとのＲおよびＬ列に０を挿入する。ブロック１３０はさらに、遠心移動データが歯列弓不調和チャートの遠心移動行に挿入されるようにする。図１１〜図１３の例示的なデータを使用して、ブロック１３０は、図１２に示すように、７×７テーブルのＲおよびＬ列に０を挿入する。
【００５７】
ブロック１３２は、ユーザに対し、抜歯が予測治療において企図されると想定して、抜歯によってもたらされる使用可能空間を入力するように促す。このデータが入力されると、ブロック１３４は、このデータが歯列弓不調和チャートの抜歯行に挿入されるようにする。図１１〜図１３の例示的なデータを使用して、ブロック１３４は、図１２に示すように、７×７テーブルのＲおよびＬ列に７を挿入する。
【００５８】
ブロック１３６は、初期不調和をストリッピング、拡大、遠心移動および抜歯によって生成される他の空間と総計（合計）し、これらの総計を残存不調和として歯列弓不調和チャートの残存不調和行に挿入する。図１１〜図１３の例示的なデータを使用して、ブロック１３６は、図１２に示すように、３×３テーブルのＲおよびＬ列に−５．５を挿入し、７×７テーブルのＲおよびＬ列に１．５を挿入する。
【００５９】
ブロック１３８は、図１０のチャートに予測治療を挿入する。このため、下顎歯列弓の場合、ブロック１３８は、図１０のチャートに正中線の移動と、抜歯（ある場合は）によって生成される空間と、犬歯から正中線領域における歯の移動と、大臼歯領域における歯の移動と、を挿入する。図１１〜図１３の例示的なデータを使用して、および図１３に示すように、ブロック１３８は、正中線移動を示すために−２を挿入し、右側および左側での犬歯から正中線領域における歯の５．５ｍｍ遠心移動を挿入し、右側および左側での大臼歯領域における歯の３ｍｍ近心移動を挿入し、８．５ｍｍの結合された抜歯およびリーウェイスペースを挿入する。
【００６０】
下顎歯列弓の場合、ブロック１３８は、図１０のチャートに、正中線の移動と、抜歯（ある場合）によって生成される空間と、犬歯から正中線領域における歯の移動と、大臼歯領域における歯の移動と、を挿入する。図１１〜図１３の例示的なデータを使用して、および図１３に示すように、ブロック１３８は、上正中線移動を示すために０を挿入し、右側および左側での犬歯から正中線領域における歯の７ｍｍの遠心移動を挿入し、右側および左側での大臼歯領域における歯の０ｍｍ移動を挿入し、７ｍｍの抜歯スペースを挿入する。
【００６１】
ブロック１４０は、ユーザに対し、右側および左側での患者の上第１大臼歯と下第１大臼歯との偏位を示す大臼歯関係を入力するように促す。このデータが入力されると、ブロック１４２は、このデータが正中線チャートに挿入されるようにする。図１１〜図１３の例示的なデータを使用して、ブロック１４２は、図１１に示すように、右および左の大臼歯関係に対し３を挿入する。
【００６２】
ブロック１４４は、完了したチャートがモニタにおいてユーザに表示されるようにする。代替的に、またはさらに、ブロック１４０は、完了したチャートがユーザに対してプリントされるようにする。これらのチャートの情報の提示により、歯科矯正医は患者をより効果的に治療することができる。
【００６３】
本発明のいくつかの変更態様を上述した。本発明の技術分野における当業者には、他の変更態様が思いつくであろう。たとえば、ユーザに対してあるデータを入力するように促すために、様々なコンピュータプロンプトについて上述した。典型的には、これらのプロンプトは、適当な表示画面によって提供される。しかしながら、音声プロンプトおよび他のタイプのプロンプトを使用してもよい。
【００６４】
さらに、ブロック１３８は、上述したように、図１０のチャートに予測治療を自動的に挿入する。しかしながら、代りに、ブロック１３８を、ユーザに対して予測治療を図１０のチャートに手動で入力するようにおよび／または図１０のチャートに自動的におよび／または手動で入力された予測治療を編集するように、促すよう構成することができる。
【００６５】
したがって、本発明の説明は、単に例示として解釈されるべきであり、当業者に対して本発明を実行する最良の形態を教示する目的のものである。本発明の精神から実質的に逸脱することなく詳細を変更してもよく、併記の特許請求の範囲の適用範囲内にあるすべての変更態様の排他的な使用が確保される。
【図１】
2010012306.tif 000003
【図２】
2010012306.tif 000004
【図３】
2010012306.tif 000005
【図４】
2010012306.tif 000006
【図５】
2010012306.tif 000007
【図６】
2010012306.tif 000008
【図７】
2010012306.tif 000009
【図８】
2010012306.tif 000010
【図９】
2010012306.tif 000011
【図１０】
2010012306.tif 000012
【図１１】
2010012306.tif 000013
【図１２】
2010012306.tif 000014
【図１３】
2010012306.tif 000015
【図１４】
2010012306.tif 000016
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
コンピュータがユーザに、第１叢生／間隔データを第１および第２テーブルに入力することを促すステップであって、該第１テーブルが患者の顎の犬歯から正中線領域に関連し、該第２テーブルが該患者の顎の第２大臼歯から正中線領域に関連し、該第１叢生／間隔データが該患者の顎の右および左犬歯から正中線領域に関連するものであるステップと、
該コンピュータがユーザに、該第１テーブルではなく該第２テーブルに第２叢生／間隔データを入力することを促すステップであって、該第２叢生／間隔データが該患者の顎の双頭歯領域に関連するものであるステップと、
該コンピュータがユーザに、該第１テーブルではなく該第２テーブルに第３叢生／間隔データを入力することを促すステップであって、該第３叢生／間隔データが該患者の顎の大臼歯領域に関連するものであるステップと、
該コンピュータがユーザに、該第１および第２テーブルにスピーの彎曲間隔データを入力することを促すステップであって、該スピーの彎曲間隔データが、該患者の顎のスピーの彎曲を矯正するために必要な空間に関連するものであるステップと、
該コンピュータがユーザに、該第１および第２テーブルに正中線間隔データを入力することを促すステップであって、該正中線間隔データが、該患者の顎における歯の正中線を移動させるために生成されかつ必要な空間に関連するものであるステップと、
該コンピュータがユーザに、該第１および第２テーブルに切歯位置データを入力することを促すステップであって、該切歯位置データが、該患者の顎における切歯の位置を矯正するために必要な空間に関連するものであるステップと、
該コンピュータが、該第２テーブルではなく該第１テーブルに対し、該第１叢生／間隔データと、該スピーの彎曲間隔データと、該正中線間隔データと、該切歯位置データと、を合計することにより第１総計をもたらすステップと、
該コンピュータが、該第１テーブルではなく該第２テーブルに対し、該第１叢生／間隔データと、該第２叢生／間隔データと、該第３叢生／間隔データと、該スピーの彎曲間隔データと、該正中線間隔データと、該切歯位置データと、を合計することにより第２総計をもたらすステップと、
を含む、歯列矯正治療を展開する方法。
【請求項２】
該コンピュータが、前記第１および第２総計のうちの少なくとも一方に対し他の生成された空間を追加するステップをさらに含む、請求項１に記載の方法。
【請求項３】
該コンピュータがユーザに、正中線と大臼歯との関係を正中線チャートに入力することを促すステップをさらに含む、請求項１に記載の方法。
【請求項４】
該コンピュータがユーザに、前記第１および第２テーブルからのデータを予測治療チャートに入力することを促すステップをさらに含む、請求項１に記載の方法。
【外国語明細書】
2010012306000001.pdf